(57)【要約】      （修正有）【課題】廃棄物処理装置において処理槽内部の処理物に十分な曝気を行い培養の促進を図れる装置を提供する。【解決手段】処浴槽内に設けられた曝気回転軸３の一端に、半径方向に設けられる第一の支持棒３３、他端の半径方向に設けられる第二の支持棒３７、第一の支持棒の先端部から第二の支持棒の先端部に渡り、螺旋状に一回転して設けられる第一の帯形状の曝気翼３１、第一の支持棒の中間点から、第二の支持棒の中間点に掛けて、前記第一の曝気翼と逆方向に、螺旋状に一回転し設けられる第二の帯板状の曝気翼３２を備える曝気翼回転軸とした、有機性廃棄物処理装置。【選択図】図４
2006218465.tif 000002
【特許請求の範囲】
【請求項１】
廃棄物処理装置において、処理装置内に設けられる曝気回転軸の一端に、半径方向に延長される第一の支持棒の先端から、他端の先端に設けられる第二の支持棒の先端に掛けて、螺旋状に一回転して設けられる第一の帯板状曝気欲翼と、前記第一の支持棒の中間点から、他端に設けられる第二の支持棒の中間点に掛けて、前記第一の帯板状曝気翼と逆方向に、螺旋状に一回転して設けられる第二の帯板状曝気翼を持つ曝気回転軸を備えた廃棄物処理装置。
【請求項２】
請求第一項に記載された廃棄物処理装置において、処理装置内に設けられる曝気回転軸の一端から、他端に向かって等間隔に五本の支持棒を、軸方向から見て、順次其々９０度の間隔を持って螺旋状に一回転するように配置し、第一の帯板状曝気翼を、各支持棒の先端部に螺旋状に一回転するように配置し、第二の帯板状曝気翼を、各支持棒の中間点に順次螺旋状に一回転するように設けた曝気回転軸を備える廃棄物処理装置。
【発明の詳細な説明】
【技術分野】
【０００１】  本発明は、有機性廃棄物に対して、より効率的に無人処理を可能にし、従来技術の欠点を改良した、高温土壌菌を利用して有機性廃棄物を処理する廃棄物処理装置に関する。更に詳細には、廃棄物の処理槽内の曝気回転軸の曝気翼の構造を改良し、高温土壌菌の温度維持と、加熱空気との曝気効果を向上し、処理時間、処理エネルギーを削減した廃棄物処理装置に関する。
【背景技術】
【０００２】  近年の温暖化による地球環境の変化は、限りある資源を節減し有効に活用を計ると同時に、再生、再利用をする考え方が、広い分野において見なおされ、徹底されるように成ってきている。例えば、人の食物の素材の残り、食べ残しに対しても、環境と省エネルギーを考慮し、活性土壌のような有益な物質に変換する装置が開発され活躍をはじめている事は衆知の通りである。
【発明の開示】
【発明が解決する課題】
【０００３】  通常、既存の廃棄物処理装置は、曝気回転軸の構造が、処理槽内に回転軸を縦に配置する縦型と、もう一つは、回転軸を横に配置する横型に大別される、曝気する為の空気を槽内に導入する手段として、ブロワーによる加圧方式と吸引方式の何れかが選択される。更に、空気の加熱方法としては、槽内外部に加熱装置を備える場合と、槽内内部に設けられる場合がある。何れにしても、其々が、長所と短所を備え、その使用目的にと、設計者の考え等により選択され決定される。
【０００４】  この種の高温土壌菌を利用した廃棄物処理装置は、レストラン、デパート、スーパア等の大型店舗、或いは役所、博物館等の公共施設、学校等で使用され、それから排出される、調理素材の残り、食べ残し等の有機性廃棄物の処理に活用される。これらの高温土壌菌を用い培養処理をして、再利用が可能な活性土壌に変換する装置は、これまでに、前述したように色々な形式で開発、実用化されて来ている。
【０００５】  この装置は、通常一日に排出される調理素材の残り、食べ残しを処理槽内に収容し、高温土壌菌と混合し、復数段にプログラムされた曝気回転軸の回転数、槽内温度、処理時間、ブロアーの回転数等の値を制御し処理槽内の環境条件を最適に維持して、ほぼ一日以内で槽内の有機性廃棄物を優良な活性土壌に変換し再利用を計る目的で作られている。同時に、臭気と衛生上の観点から、廃棄物の雑多な臭気をなくして、清潔な環境に改善する目的で提供される。従って、廃棄物、廃棄物処理装置は、廃棄物、即ちゴミが処理対象の商品であるから、装置は、もっとも経済効率が重要視される事は、申し述べる迄もない。言い換えれば、装置は、処理の為の消費エネルギーが少なく、短時間で処理が完了し、より小型で広い場所を必要としないで、投入された有機性廃棄物が、確実に有効な活性土壌に変換される事が強く望まれる。
【課題を解決する為の手段】
【０００６】  衆知の通り、有機性廃棄物を処理する為に、高温土壌菌、が効率的な分解活動を維持し、良質な活性土壌を培養する為には、各処理工程中での槽内の最適な温度と、栄養と、十分な酸素の三つの条件を、適切なプログラムで維持管理する事が必要とされる。通常、槽内の温度管理は、ヒータ等の加熱装置のプログラムにもとずく制御により最適に制御され、必要な栄養は、槽内に投入された食品素材の残り、食べ残し等の有機性廃棄物を消費する事により補われる。更に、団塊状の有機性廃棄物と土壌菌の混合物への酸素の供給は、ヒータで加熱された槽内の加熱空気が、ブロアーにより吸引、又は加圧供給され、槽内に設けられた曝気翼により、団塊的な形の有機性廃棄物と高温土壌菌の混合物を曝気攪拌する事により、槽内の加熱空気と十分に接触して、分解培養に必要な酸素との反応を促進する事により優良な活性土壌に変換される。
【０００７】  本発明に於いては、独特な螺旋構造の曝気翼とし、それにより、団塊的な形の有機性廃棄物と高温土壌菌の混合物を攪拌する事により、槽内の加熱空気と十分な接触を行い、分解培養に必要な酸素との確実な反応を促進する事を特徴とする。  槽内に於いて、前記団塊的な混合物と加熱空気とを、効率よく曝気を行う為の独特な構造をした曝気翼は、詳細は具体的に以下のようになる。
【０００８】  本発明は、処理槽内に配置された曝気回転軸、その回転軸の一端に、半径方向に設けられる第一の支持棒、第一の支持棒の先端から他端に設けられる第二の支持棒、第一の支持棒の先端部から第二の支持棒の先端に渡り、螺旋状に一回転して設けられる第一の帯板状の曝気翼、前記一端の支持棒の中間点から、他端の半径方向に設けられる第二の支持棒の中間点に掛けて、前記第一の曝気翼と逆方向に、螺旋状に一回転し設けられた第二の帯板状の曝気翼を備える構造とした、曝気回転軸を備える有機性処理物を活性土壌に変換する廃棄物処理装置を提供する。
【０００９】  その結果、槽内を小区分に分割し、槽内処理物を攪拌曝気し、十分に酸素との接触が行われる構造とする事により、廃棄物の処理時間を短縮し、同時に消費する処理エネルギーを削減し、効率的な廃棄物処理の達成を可能にし、同時に、処理能力の同一能力の処理装置に於いて、装置を小型化することが出来て、必要な設置面積を縮小する事を可能にする優れた特徴を有する。
【発明の効果】
【００１０】  レストランからの食品素材の残りと、食べ残しで構成される有機性廃棄物５０ｋｇを、約１／５のバチルス系土壌菌と混合し、所定の処理工程で連続に処理した場合に、従来から知られている、帯板曝気翼が一枚のみの装置と、本発明による第一と第二の曝気翼を持った装置と処理能力を比較した時に、本発明の装置に於いては、明らかに曝気翼の効果が表れ、前者に比較して、約２０〜３０％の処理時間の短縮と消費エネルギーの削減が得られ、両者の装置で同等と見做せる優良な活性土壌の変換が行えた。
【発明を実施するための最良の形態】
【００１１】  以下に、本発明の実施例を図１〜４により説明する。
【実施例】
【００１２】  本発明の、廃棄物処理装置１の一実施例を図１、２に示す。廃棄物処理装置１は、有機性廃棄物と高温土壌菌を収容する処理槽２、処理槽２の中で横置きに設けられ回転する曝気回転軸３と、軸に設けられ、前記廃棄物と土壌菌の混合物を十分に攪拌し曝気する為の独特な構造をした曝気翼４、前記曝気回転軸３と曝気翼４を一体で回転する減速機６を備えた駆動モータ、駆動機構７、吸気口８と、吸入空気を加熱する為に槽内底部全周に設けられるフィル状の加熱装置１５、槽内に新鮮な空気を吸引するブロアー９と、処理物から排出される臭気を除去する為の脱臭装置１０を包含する。吸引され加熱された空気は、槽内の廃棄物と土壌菌の混合物を、曝気翼４で十分に攪拌曝気した後に、排気口１３より排気され、脱臭装置１０を通り脱臭処理されて排出口より大気に排出される。  実施例は、ブロアーの配置を処理槽の後に設け、槽内に大気を吸気口８より吸入する構造を成すが、場合によっては、処理槽の前にブロアーを設け、大気を槽内に加圧注入する構造でもよく、その場合、加圧注入口は、中空の曝気回転軸の中心から注入され、回転軸に設けられる複数の穴から槽内処理物の中に放出される構造を成してもよい。  使用される脱臭装置は、各種形式の物でよいが、望ましくは、安価で、小型で、効率的で、保守管理の容易な物が適している。【００１３】  図２、３は、曝気回転軸３の詳細を示す。曝気回転軸３は、曝気翼３１、３２が、処理槽２内に横置きに設けられ、曝気翼３１、３２の回転軸３の一端から他端に向けて等間隔に五本の支持棒３３、３４、３５、３６、３７を、軸方向から見て順次螺旋状に一回転するように設け、第一の帯板状曝気翼３１を、前記支持棒の先端部に螺旋状に一回転するように配置し、第二の帯板状曝気翼３２を、前記支持棒の中間点に順次、前記第一の帯板状曝気翼と逆の方向に螺旋状に一回転するように設けた構造を成している。【００１４】  螺旋状に巻かれる曝気翼３１、３２の帯板は、通常２〜８ｍｍで、幅は２０〜１００ｍｍ程度の大きさが適当であり、効果を考慮して内側の帯板を少し広くする事も望ましい。軸３に設けられる支持棒の数は、実施例の五本に限らず適宜本数を選択することが可能である。【００１５】  今、回転軸３を図示される、矢印Ｎの方向に回転すると、回転軸３の支持棒３３、３４、３５、３６、３７、は、あたかも処理槽内をＡ，Ｂ，Ｃ，Ｄの四つの区分に分割し連続的に回転を続ける。各小区分では、第一の曝気翼３１と、第二の曝気翼３２の互いに相反する捻れ方向の相違により、各区分に於いて矢印Ｓ１，Ｓ２，Ｓ３，Ｓ４の方向の渦が発生する。従って、回転軸３をＮ方向に回転すると、槽内に収容された廃棄物を、前述の矢印Ｓ１〜Ｓ４の方向に回転攪拌し、曝気を行いながら矢印Ｎの方向に連続的に回転される。このようにして、処理槽内の処理物の内部に、均一に十分な加熱空気との曝気を行い、反応に必要な十分な酸素の接触を可能にし、消費エネルギーを削減し、処理槽内の処理物を効率よく、短時間で優良な活性土壌に変換する特徴を有する。
【図面の簡単な説明】
【００１６】【図１】本発明の有機性廃棄物処理装置の上面図の一例を示す。
【図２】図１の側面図の一例を示す。
【図３】本発明の攪拌軸の上面図の一例を示す。
【図４】図３の上面図を示す。
【符号の説明】
【００１７】  １、廃棄物処理装置  ２、処理槽  ３、曝気回転軸  ４、曝気翼  ５、駆動モータ  ６、減速機  ７、駆動機構  ８、ブロアー駆動モータ  ９、ブロアー１０、脱臭装置１１、排出口１３、排気口１５、加熱装置３１、第一の帯板曝気翼３２、第二の帯板曝気翼３３、支持軸３４、支持軸３５、支持軸３６、支持軸３７、支持軸
【図１】
2006218465.tif 000003
【図２】
2006218465.tif 000004
【図３】
2006218465.tif 000005
【図４】
2006218465.tif 000006